(57)【特許請求の範囲】
【請求項１】
端部の先端面に形成された円弧状の第１の係合歯列、及び該円弧と同心であって肉厚方向にそれぞれ突出した第１の回転軸突起部及び第２の回転軸突起部を有するリンクアームと、
ルーバーが取り付けられる取付板上に対向立設され該立設方向に沿って延びる中抜き部をそれぞれ有する一対の支持板、及び該一対の支持板間に設けられ前記第１の係合歯列が対面係合する円弧状の第２の係合歯列を有する硬弾性フランジとを備え、
前記第１の回転軸突起部及び前記第２の回転軸突起部が前記一対の支持板にそれぞれ当接して前記リンクアームの端部が前記一対の支持板間に圧入されたときに、前記一対の支持板の前記各中抜き部に前記第１の回転軸突起部及び前記第２の回転軸突起部がそれぞれ嵌合すると共に、前記第１の係合歯列が前記第２の係合歯列に対面係合して前記硬弾性フランジの弾性によって前記第１の回転軸突起部及び前記第２の回転軸突起部を前記各中抜き部の前記立設方向側の突き当て面に付勢固定する構造にすることを特徴とするルーバー用取り付け器具。
【請求項２】
前記第１の回転軸突起部及び前記第２の回転軸突起部と前記一対の支持板とが当接する部分において、前記第１の回転軸突起部及び前記第２の回転軸突起部と前記一対の支持板のいずれか一方または両方が面取りされていることを特徴とする請求項１に記載のルーバー用取り付け器具。
【請求項３】
前記リンクアームの両端部に前記第１の係合歯列と前記第１の回転軸突起部と前記第２の回転軸突起部とを設けて、前記硬弾性フランジを前記リンクアームの両端部にそれぞれ装着可能な構造にし、
前記２つの硬弾性フランジのうちの一方を前記取付板を介して空調機の吹き出し口に取り付けること特徴とする請求項１または２に記載のルーバー用取り付け器具。
【請求項４】
請求項１ないし３いずれかに記載のルーバー用取り付け器具を備えることを特徴とする空調機。
【発明の詳細な説明】
【技術分野】
【０００１】
本発明は、ルーバーを空調機等に取り付けるためのルーバー用取り付け器具及び空調機に関する。
【背景技術】
【０００２】
空調機から吹き出す空気流の向きを調整する板状のルーバーは、例えば特許文献１に記載されるように、空調機の吹き出し口に取り付けて使用するものである。従来、この種のルーバーを、例えば天井埋め込み型の空調機の吹き出し口に取り付けるための取り付け器具としては、例えば、図７及び図８に示すようなものがあった。
【０００３】
図７は、従来のルーバー用取り付け器具の構造例を示す斜視図である。
同図に示す取り付け器具は、湾曲形状のルーバー１０１の表面上に立設された支持板１０２及び先端テーパ状の係合板１０３と、一方の端部に一対のリンク板１１２，１１３が対向形成されたリンクアーム１１１とを備えている。ルーバー１０１と支持板１０２と係合板１０３は合成樹脂で一体成形されている。そして、一対のリンク板１１２，１１３の間の溝部に支持板１０２の上部が嵌合し、さらにノブ付きボルト１２１が、座金１２２を介して、ルーバー１０１側の支持板１０２とリンクアーム１１１側のリンク板１１２，１１３との支軸穴に挿通して、これらがノブ付きボルト１２１とナット１２３により回動可能に締めつけ固定される。
【０００４】
また、リンク板１１２，１１３のそれぞれの先端面には円弧状の係合歯列１１２ａ，１１３ａが形成され、この係合歯列１１２ａ，１１３ａに係合板１０３のテーパ端１０３ａが係合する。なお、リンクアーム１１１の他方の端部は、空調機の吹き出し口に取り付け可能になっている。
【０００５】
このような構造のルーバー用取り付け器具において、空調機の吹き出し口に対してルーバー１０１の角度を調整する際には、ルーバー１０１に形成された係合板１０３のテーパ端１０３ａが、弾性変形を伴いながらリンクアーム１１１の係合歯列１１２ａ，１１３ａの山部を乗り越え、乗り越えたところでテーパ端１０３ａが弾性復元力で元の形状に戻って、次の谷部で保持した状態となる。このようにして、テーパ端１０３ａが係合歯列１１２ａ，１１３ａの山部を乗り越えながら、ルーバー１０１がボルト１２１を中心軸として回動し、ルーバー１０１の角度が調整される。
【０００６】
図８は、従来のルーバー用取り付け器具の他の構造例を示す斜視図である。
同図に示す取り付け器具は、湾曲形状のルーバー２０１の表面上に立設された支持板２０２と、一方の端部の先端面に円弧状の係合歯列２１１ａが形成されたリンクアーム２１１とを備えている。支持板２０２の上部には、リンクアーム２１１の係合歯２１１ａに対面係合する円弧状の係合歯列２０２ａが形成されている。さらに、支持板２０２の上部とリンクアーム２１１の端部には支持軸穴（図示省略）が形成されている。
【０００７】
そして、その支軸穴に、コイルバネ２２２が介挿されたノブ付きボルト２２１が挿通され、リンクアーム２１１側の係合歯２１１ａとルーバー２０１側の係合歯列２０２ａとが歯合するように、ノブ付きボルト２２１とナット２２３によって締めつけ固定される。そのとき、コイルバネ２２２の一方の端部はノブ付きボルト２２１の裏面に当接し、他方の端部はリンクアーム２１１の端部に形成された凹段差部２１１ｂに当接される。すなわち凹段差部２１１ｂは、リンクアーム２１１の端部に形成された支持軸穴よりも大きい径で且つ同芯的に形成された平面視ドーナツ状の形状を成す。これによって、ノブ付きボルト２２１とナット２２３によって締めつけ固定したときに、コイルバネ２２２が弾性圧縮変形して、リンクアーム２１１側の係合歯２１１ａをルーバー２０１側の係合歯列２０２ａの方へ常に付勢するようになる。
【０００８】
このような構造のルーバー用取り付け器具において、空調機の吹き出し口に対してルーバー１０１の角度を調整する際には、コイルバネ２２２の弾性圧縮変形を伴いながら、ルーバー２０１側の係合歯列２０２ａの山部がリンクアーム２１１側の係合歯２１１ａの山部を乗り越え、乗り越えたところでコイルバネ２２２が弾性復元力で元の形状に戻って、次の谷部で保持した状態となる。このようにして、ルーバー２０１側の係合歯列２０２ａの山部がリンクアーム２１１側の係合歯２１１ａの山部を乗り越えながら、ルーバー２０１がボルト２２１を中心軸として回動し、ルーバー２０１の角度が調整される。
【先行技術文献】
【特許文献】
【０００９】
【特許文献１】実用新案登録第３０８６１８０号公報
【発明の概要】
【発明が解決しようとする課題】
【００１０】
しかしながら、上述した従来例では、次のような問題点があった。
図７に示した従来例では、係合歯列１１２ａ，１１３ａに、合成樹脂から成る係合板１０３のテーパ端１０３ａが係合してルーバー１０１の角度を保持する構造であるため、初めからルーバー１０１の角度を保持する力が弱く、さらに使用回数が多くなるほどテーパ端１０３ａが摩耗して、一層保持力が弱くなるという問題があった。また、ボルト１２１、座金１２２及びナット１２３によりリンク部分を固定するので、組み立てが容易でないばかりか、部品点数が多くなりコスト高になるという問題もある。
【００１１】
図８に示した従来例では、金属から成るコイルバネ２２２が介挿されたボルト２２１と、ナット２２３によって、リンクアーム２１１側の係合歯２１１ａとルーバー２０１側の係合歯列２０２ａとを係合固定する構造となっている。そのため、使用者がボルト２２１を緩めて係合固定状態を調整する際に、コイルバネ２２２のバネ力により、ボルト２２１、ナット２２３、或いはコイルバネ２２２を飛ばして紛失させる恐れがあった。また、ノブ付きのボルト２２１やナット２２３、コイルバネ２２２を使用するので、上記従来例と同様に、組み立てが容易でなく、部品点数が多くなりコスト高になるという問題もある。
【００１２】
また、図７及び図８に示した従来例では、取り付け器具の部品点数が多いなどの理由で、ルーバーを取り付けた状態の器具全体の重量が増して器具全体が天井から落下する恐れもあり、これを防ぐために落下防止用のワイヤーなどのパーツを設ける必要があった。そのため、一層部品点数が多くなりコスト高になるという問題もあった。
【００１３】
本発明は、このような事情に鑑みてなされたもので、その目的は、的確に角度調整を行え、少ない部品点数で組み立てが容易なルーバー用取り付け器具及び空調機を提供することにある。
【課題を解決するための手段】
【００１４】
上記課題を達成するために、本発明の一態様に係るルーバー用取り付け器具は、端部の先端面に形成された円弧状の第１の係合歯列、及び該円弧と同心であって肉厚方向にそれぞれ突出した第１の回転軸突起部及び第２の回転軸突起部を有するリンクアームと、ルーバーが取り付けられる取付板上に対向立設され該立設方向に沿って延びる中抜き部を有する一対の支持板、及び該一対の支持板間に設けられ第１の係合歯列が対面係合する円弧状の第２の係合歯列を有する硬弾性フランジとを備え、第１及び前記第２の回転軸突起部が一対の支持板にそれぞれ当接してリンクアームの端部が一対の支持板間に圧入されたときに、一対の支持板の各中抜き部に第１の回転軸突起部及び第２の回転軸突起部がそれぞれ嵌合すると共に、第１の係合歯列が第２の係合歯列に対面係合して硬弾性フランジの弾性によって第１の回転軸突起部及び第２の回転軸突起部を中抜き部の立設方向側の突き当て面に付勢固定する構造にすることを特徴とする。
【００１５】
好ましい態様では、第１の回転軸突起部及び第２の回転軸突起部と一対の支持板とが当接する部分において、第１の回転軸突起部及び第２の回転軸突起部と一対の支持板のいずれか一方または両方が面取りされている。これによって、面取り部がリンクアーム端部の硬弾性フランジへの圧入を容易にするので、スムーズなワンタッチ装着が可能になる。
【００１６】
上記態様では、リンクアームの両端部に第１の係合歯列と第１の回転軸突起部と第２の回転軸突起部とを設けて、硬弾性フランジをリンクアームの両端部にそれぞれ装着可能な構造にし、２つの硬弾性フランジのうちの一方を取付板を介して空調機の吹き出し口に取り付けてもよい。このようにすると、少ない部品数で空調機の吹き出し口に取り付けられるので、ルーバーを取り付けた状態の器具全体の重量が低減し、器具全体が空調機から脱落する事故を未然に防ぐことが可能になる。
また、本発明は上記ルーバー用取り付け器具を備える空調機でもある。
【発明の効果】
【００１７】
本発明のルーバー用取り付け器具によれば、リンクアームが硬弾性フランジにワンタッチで装着されるので、組み立てが容易になる。これにより、使用者自身による組み立てが可能になり、低コスト化を図ることができる。さらに、肉厚のある硬弾性の係合歯列が対面係合するので、角度調整機能を長期にわたって的確に維持することが可能になる。また、少ない部品点数で実現できるため、低コスト化を一層図ることが可能になると共に、余分な部品が減ることで使用中の部品紛失を防ぐことができる。
【図面の簡単な説明】
【００１８】
【図１】ルーバー用取り付け器具を含むルーバー機構の全体を示す斜視図である。
【図２】図１に示したルーバー機構を反対面から視た様子を示す斜視図である。
【図３】ルーバー用取り付け器具の連結前の状態を示す斜視図である。
【図４】ルーバー用取り付け器具の連結後の状態を示す斜視図である。
【図５】ルーバー用取り付け器具のスライド装着時の構成を示す要部斜視図である。
【図６】組み立てられた取り付け器具におけるフランジの縦断面図である。
【図７】従来のルーバー用取り付け器具の構造例を示す斜視図である。
【図８】従来のルーバー用取り付け器具の他の構造例を示す斜視図である。
【発明を実施するための形態】
【００１９】
以下、本発明の一実施形態について、図面を参照しながら説明する。
＜ルーバー機構の全体的な構成＞
図１は、本発明の一実施形態に係るルーバー用取り付け器具を含むルーバー機構の全体構成を示す斜視図であり、図２は、図１に示したルーバー機構を反対面から視た様子を示す斜視図である。
【００２０】
このルーバー機構は、例えば天井埋め込み型の空調機の吹き出し口に取り付けて使用するものであり、図１に示すように、空調機から吹き出す空気流の向きを調整する板状のルーバー１０は、合成樹脂から成る湾曲形状の左ウイング１１と中央ウイング１２と右ウイング１３とが連結して構成され、平面視略長方形の形状を成している。すなわち、左ウイング１１と右ウイング１３は、中央ウイング１２表面上に、長手方向に対してスライド自在に重ね係合され、これら３つのウイング１１，１２，１３から成るルーバー１０の長手幅が左ウイング１１と右ウイング１３のスライドによって調整可能になっている。
【００２１】
具体的には、中央ウイング１２の四隅には上向き爪１２ａ，１２ｂ，１２ｃ，１２ｄが設けられ、左ウイング１１及び右ウイング１３の裏面の重ね側先端部には、それぞれ下向き爪１１ａ，１３ａが設けられている。そして、中央ウイング１２の上向き爪１２ａ，１２ｂが左ウイング１１の側壁リブ１１ｂ，１１ｃにそれぞれ長手方向摺動可能に係合されると共に、中央ウイング１２の上向き爪１２ｃ，１２ｄが右ウイング１３の側壁リブ１３ｂ，１３ｃにそれぞれ長手方向摺動可能に係合される。さらに、中央ウイング１２の略中央部には長手方向に延びた貫通溝１２ｅ，１２ｆが並設されており、その貫通溝１２ｅ，１２ｆに、それぞれ左ウイング１１の下向き爪１１ａと右ウイング１３の下向き爪１３ａが摺動可能に係合される。
【００２２】
また、左ウイング１１及び右ウイング１３の表面の略中央部には、それぞれ本実施形態のルーバー用取り付け器具２０，３０が取り付けられる。具体的には、左ウイング１１の表面の略中央部には、取り付け器具２０の取付板２１を係合固定するためのガイド爪１１ｄ，１１ｅ，１１ｆ，１１ｇと抜け止め１１ｈが形成されている。取付板２１の表面には例えば合成樹脂から成るフランジ２２が形成され、そのフランジ２２にリンクアーム２３の一方の端部が装着されている。リンクアーム２３の他方の端部は、取付板２４の表面に形成されたフランジ２５に装着されている。フランジ２５も、フランジ２２と同一の構造を成し合成樹脂で成形されている。
【００２３】
同様に、右ウイング１３の表面の略中央部にも、取り付け器具３０の取付板３１を係合固定するためのガイド爪１３ｄ，１３ｅ，１３ｆ，１３ｇと抜け止め１３ｈが形成されている。そして、取付板３１の表面に形成されたフランジ３２には、リンクアーム３３の一方の端部が装着され、その他方の端部が取付板３４の表面のフランジ３５に装着されている。フランジ３５も、フランジ３２と同一の構造を成し合成樹脂で成形されている。
【００２４】
このような構成を有するルーバー機構は、取り付け器具２０の取付板２４及び取り付け器具３０の取付板３４を介して、例えば天井埋め込み型の空調機の吹き出し口に取り付けられる。
＜組み立て方法と取り付け器具の構造及び動作＞
【００２５】
次に、本実施形態の特徴を成すルーバー用取り付け器具２０，３０の詳細な構造を説明しつつ、上記ルーバー機構の組み立て方法について説明する。なお、説明を簡単にするために取り付け器具２０を例に挙げて説明する。
【００２６】
始めにルーバー１０の組み立て方法について説明する。
まず、左ウイング１１の下向き爪１１ａを中央ウイング１２の幅広穴１２ｇに挿通させて，左ウイング１１を中央ウイング１２の上に重ね置き、左ウイング１１の上から下側へ押圧する。すると、中央ウイング１２の上向き爪１２ａ，１２ｂが、その弾性作用により、それぞれ左ウイング１１の側壁リブ１１ｂ，１１ｃに長手方向摺動可能にオーバーハングされる。このようにして、左ウイング１１を中央ウイング１２に重ね係合する。これによって、左ウイング１１の下向き爪１１ａが中央ウイング１２の貫通溝１２ｅに沿ってスライド可能になる。
【００２７】
同様に、右ウイング１３の下向き爪１３ａを中央ウイング１２の幅広穴１２ｈに挿通させて、右ウイング１３を中央ウイング１２の上に重ね置き、右ウイング１３を中央ウイング１２に重ね係合する。これによって、右ウイング１３の下向き爪１３ａが中央ウイング１２の貫通溝１２ｆに沿ってスライド可能になる。
こうして、３つのウイング１１，１２，１３から成るルーバー１０が、長手幅調整可能に構成される。
【００２８】
図３は、ルーバー用取り付け器具２０の連結前の状態を示す斜視図であり、図４はルーバー用取り付け器具２０の連結後の状態を示す斜視図である。
ルーバー用取り付け器具２０のリンクアーム２３は、図３に示すように、側面視凸円弧状の第１の係合歯列２３ａと、略円筒形の第１及び第２の回転軸突起部２３ｂ，２３ｃを有する。第１の係合歯列２３ａは、リンクアーム２３の端部の先端面を歯車状に加工して形成された歯列であり、山部と谷部との繰返しから成る。第１及び第２の回転軸突起部２３ｂ，２３ｃは、第１の係合歯列２３ａの円弧と同心であってリンクアーム２３の端部中心部付近に、肉厚方向にそれぞれ突設されている。
【００２９】
一方、フランジ２２は、図３に示すように、側面視略逆Ｕ字形の中抜き形状である一対の支持板２２ａ，２２ｂと、側面視凹円弧状の第２の係合歯列２２ｃを備えている。一対の支持板２２ａ，２２ｂは、ルーバー１０が取り付けられる取付板２１上に対向立設されており、この立設方向に沿って延びる中抜き部２２ｄ，２２ｅをそれぞれ有する。中抜き部２２ｄ，２２ｅの立設方向各突き当て面２２ｄ−１，２２ｅ−１は、リンクアーム２３の第１及び第２の回転軸突起部２３ｂ，２３ｃの円筒形状に合うように円弧状を成している。第２の係合歯列２２ｃは、一対の支持板２２ａ，２２ｂ間の取付板２１側に設けられており、リンクアーム２３の第１の係合歯列２３ａが対面係合する歯列であり、山部と谷部との繰返しから成る。
【００３０】
また、リンクアーム２３の端部がフランジ２２に装着される際には、第１及び第２の回転軸突起部２３ｂ，２３ｃと一対の支持板２２ａ，２２ｂとが当接する。第１及び第２の回転軸突起部２３ｂ，２３ｃと一対の支持板２２ａ，２２ｂの上記当接位置には、それぞれ傾斜面２３ｄ，２３ｅ、２２ｆ，２２ｇが形成され面取りされている。
【００３１】
次に、リンクアーム２３の端部がフランジ２２に装着される際の作用について説明する。
まず、リンクアーム２３がフランジ２２側に進行し（図３の矢印Ｚ１参照）、第１及び第２の回転軸突起部２３ｂ，２３ｃの傾斜面２３ｄ，２３ｅが一対の支持板２２ａ，２２ｂの傾斜面２２ｆ，２２ｇにそれぞれ当接する。さらに、リンクアーム２３が矢印Ｚ１方向に進行して、リンクアーム２３の端部が一対の支持板２２ａ，２２ｂの間に圧入すると、支持板２２ａ，２２ｂが開く方向、つまり、取付板２１の長手方向へ向けて開くように弾性変形する。
【００３２】
その後、第１及び第２の回転軸突起部２３ｂ，２３ｃが中抜き部２２ｄ，２２ｅにそれぞれ嵌合すると、支持板２２ａ，２２ｂが弾性復元力で元の形状に戻り、第１及び第２の回転軸突起部２３ｂ，２３ｃは中抜き部２２ｄ，２２ｅに摺動可能で嵌め込まれる。そして、リンクアーム２３の第１の係合歯列２３ａがフランジ２２の第２の係合歯列２２ｃに対面係合し、第１の係合歯列２３ａと第２の係合歯列２２ｃとが歯合する。
【００３３】
このとき、フランジ２２の第２の係合歯列２２ｃがリンクアーム２３の第１の係合歯列２３ａにより押圧されて取付板２１側へ向けて弾性変形する。この弾性変形を妨げないように、取付板２１の中央部は中抜き形状となっている。
【００３４】
フランジ２２の第２の係合歯列２２ｃへの押圧が弱まると、第２の係合歯列２２ｃは弾性復元力で元の形状に戻ろうとし、リンクアーム２３の端部を、圧入方向とは逆の方向、つまり立設方向（図４の矢印Ｚ２参照）へ付勢する。これによって、第１及び第２の回転軸突起部２３ｂ，２３ｃが、中抜き部２２ｄ，２２ｅの各突き当て面２２ｄ−１，２２ｅ−１にそれぞれ押し付けられて固定する。
【００３５】
なお、リンクアーム２３の他方の端部がフランジ２５に装着される方法も上述したものと同様であり、また、リンクアーム３３の両端部がフランジ３２，３５にそれぞれ装着される方法も上述したものと同様である。
【００３６】
次に、以上のようにしてワンタッチで組み立てられたルーバー用取り付け器具２０をルーバー１０に装着する方法について図５を参照して説明する。
図５は、ルーバー用取り付け器具２０をルーバー１０にスライド装着するための構成を示す要部斜視図である。
【００３７】
図５に示すように、左ウイング１１の中央付近には、長手方向に延びる角棒状の凸部１１ｉが配設されている。そして、その凸部１１ｉの一方の端部がテーパ状の抜け止め部１１ｈを構成し、他方の端部側には短手方向に沿って延びる突き当て兼用補強リブ１１ｊが配設されている。さらに、凸部１１ｉと平行の位置に、ガイド爪１１ｄ，１１ｅとガイド爪１１ｆ，１１ｇがそれぞれ所定の間隔で並設されている。
【００３８】
ルーバー用取り付け器具２０をルーバー１０にスライド装着する際には、取り付け器具２０の取付板２１を凸部１１ｉに沿ってスライド方向（図５中の矢印Ｚ３）へ向けて移動させる。そのとき、ガイド爪１１ｄ，１１ｅとガイド爪１１ｆ，１１ｇが短手方向及び鉛直方向の移動を規制し、突き当て兼用補強リブ１１ｊが長手方向の移動を規制する。そして、スライド動作後は、抜け止め部１１ｈによって取付板２１が確実に係止される。
【００３９】
なお、ルーバー用取り付け器具３０を右ウイング１３にスライド装着する際も上記同様になる。すなわち、右ウイング１３の各部材１３ｄ，１３ｅ，１３ｆ，１３ｇ，１３ｈ，１３ｊは、それぞれ左ウイング１１の各部材１１ｄ，１１ｅ，１１ｆ，１１ｇ，１１ｈ，１１ｊに相当するので、説明を省略する。
【００４０】
図６は、取り付け器具２０をルーバー１０にスライド装着した状態でのフランジ２２の縦断面図である。
このような構造の本実施形態のルーバー用取り付け器具において、空調機の吹き出し口に対してルーバー１０の角度を調整する際には、次のように作用する。すなわち、フランジ２２における第２の係合歯列２２ｃの弾性変形を伴いながら第２の係合歯列２２ｃの山部がリンクアーム２３側の第１の係合歯列２３ａの山部を乗り越え、乗り越えたところで第２の係合歯列２２ｃが弾性復元力で元の形状に戻って、次の谷部で第１の係合歯列２３ａと第２の係合歯列２２ｃの係合状態が保持された状態となる。つまり、リンクアーム２３に対する左ウイング１１の角度が更新されて保持される。
【００４１】
このように、第２の係合歯列２２ｃの板バネ的な弾性作用を伴い、フランジ２２側の第２の係合歯列２２ｃの山部がリンクアーム２３側の第１の係合歯列２３ａの山部を乗り越えながら、左ウイング１１が第１及び第２の回転軸突起部２３ｂ，２３ｃを中心軸として回動する。
また、図１に示す右ウイング１３側の取り付け器具３０のフランジ３２においても同様の動作が行われるので、ルーバー１０の角度が調整されることになる。
【００４２】
なお、図１に示すように上述の動作では、空調機の吹き出し口に対してリンクアーム２３，３３の角度が変わらない態様となる。すなわち、フランジ２２，３２の第１及び第２の回転軸突起部を中心軸としてルーバー１０の角度が調整される。これに加えて、図２に示すように本実施形態では、フランジ２５，３５を上述同様に動作させることにより、フランジ２５，３５の第１及び第２の回転軸突起部を中心軸としてルーバー１０の角度を調整することもできる。
【００４３】
本実施形態におけるルーバー用取り付け器具によれば、リンクアーム２３，３３がフランジ２２，２５、３２，３５にワンタッチで装着されるので、組み立てが容易になる。これにより、使用者自身による組み立てが可能になり、低コスト化を図ることができる。さらに、フランジ２２，２５、３２，３５において肉厚のある硬弾性の係合歯列が対面係合するので、角度調整機能を長期にわたって的確に維持することが可能になる。また、少ない部品点数で実現できるため、低コスト化を一層図ることが可能になると共に、余分な部品が減ることで使用中の部品紛失を防ぐことができる。
【００４４】
また、リンクアーム２３，３３側の第１及び第２の回転軸突起部とフランジ２２，２５、３２，３５側の支持板とにそれぞれ傾斜面（例えば、２２ｆ、２２ｇ、２３ｄ、２３ｅ）を形成し面取りしたので、傾斜面が、リンクアーム端部のフランジへの圧入を容易にし、スムーズなワンタッチ装着を可能にする。
【００４５】
また、少ない部品点数で空調機の吹き出し口に取り付けることができると共に、例えば右ウイング１３の内側の角を斜めにカットしたウイング形状（図１の１３Ａ）を採用したので、ルーバー１０を取り付けた状態の器具全体の重量が低減し、器具全体が空調機から脱落する事故を未然に防ぐことが可能になる。
【００４６】
なお、各フランジ２２，２５，３２，３５を合成樹脂で構成したが、硬弾性を有する素材であれば、これに限定せず、例えば金属で構成してもよい。また、リンクアーム側の第１及び第２の回転軸突起部とフランジ側の支持板とをそれぞれ面取りしたが、いずれか一方だけを面取りする構成であっても構わない。また、本発明は上記ルーバー用取り付け器具を備える空調機でもある。
【符号の説明】
【００４７】
１０  ルーバー
２０，３０ルーバー用取り付け器具
２１，２４，３１，３４  取付板
２２，２５，３２，３５  フランジ
２２ｆ，２２ｇ，２３ｄ，２３ｅ  傾斜面
２３，３３  リンクアーム
２３ａ  第１の係合歯列
２２ｃ  第２の係合歯列
２２ｄ−１，２２ｅ−１  突き当て面
２２ｄ，２２ｅ  中抜き部
２２ａ，２２ｂ  支持板
２３ｂ，２３ｃ  第１及び第２の回転軸突起部
ｚ１  圧入方向
ｚ２  立設方向
【図１】
0005364879.tif 000002
【図２】
0005364879.tif 000003
【図３】
0005364879.tif 000004
【図４】
0005364879.tif 000005
【図５】
0005364879.tif 000006
【図６】
0005364879.tif 000007
【図７】
0005364879.tif 000008
【図８】
0005364879.tif 000009